(57)【要約】【課題】既存の室内の壁材である軟質の石膏ボードの内面に挿入用ノズルにより容易に炭素繊維やエポキシ樹脂を挿入し固化させ強固にする事ができるようにした工法を提供しようとなされたものである。【解決手段】既存の室内の壁材である石膏ボード面内２に炭素繊維４と、炭素繊維４を固化するために使用されるエポキシ樹脂a５とエポキシ樹脂b６を挿入用ノズル７により容易に挿入し軟質の石膏ボード内面２を補強し、地震時、家具が転倒する事を防止した家具転倒防止金具装着補強工法である。【選択図】図１
2015169046.tif 000002
【特許請求の範囲】
【請求項１】
既存の室内壁材であり軟質の石膏ボードの内面に炭素繊維と、該炭素繊維を固化するために使用されるエポキシ樹脂を挿入用ノズルにより容易に挿入し該石膏ボードの内面の家具天板部位に位置する部分を補強し強度を持たせ、地震の際に揺れ転倒する危険性のある家具の転倒を防止することができるようにした機能を備えさせたことを特徴とする補強工法。
【請求項２】
該石膏ボードの面内を上記の如く補強するに当たり挿入口に、樹脂で成型したエポキシ樹脂を注入するパイプ状であり、更には、先端が挿入の際には、挿入方向に倣い容易に挿入され、挿入後には、挿入用ノズルの先端が放射状に３方に開き逆止し、該石膏ボード面内にエポキシ樹脂を注入し該挿入用ノズル先端の３方放射状に開いた部位を回転させ、必要に応じた面積にエポキシ樹脂の塗布と、エポキシ樹脂面に炭素繊維を張る事が容易にでき、施工後は鋏などでカットし壁面内に使い捨てできる挿入用ノズル。
【発明の詳細な説明】
【技術分野】
【０００１】
本発明は、家具転倒防止金具に関するものであり、特に、既存の室内用壁材として一
般に使用される軟質の石膏ボードの壁面内を補強し、地震の際に起こる揺れに対して強
固に家具の転倒を防止するようにした補強工法に係わるものである。
【背景技術】
【０００２】
従来、室内用壁材として一般的に用いられる石膏ボードは、耐火性、耐湿性を重視し
ており、軟質で到底、家具の転倒防止の支えとしての機能は無いものが従来より一般に
使用されている。
【０００３】
特開２００８―１５４６３０号公報の家具転倒防止具は、連結部材と、一対の取付け
金具とを備え連結部材は、上下方向へ延びる柱状部と、その柱状部の上端に直交して延
びる抜止部とを有している。一対の取付け金具は、互いに同一形状をなし貫通部を有して
いる。そして、家具の背面の上側においてその左右両端に取付け金具を配置し、壁面においても家具側の取付け金具に対向する位置にそれぞれ取付け金具を配置する。より詳細には、家具側の貫通部と、壁面側の貫通部とが上下方向から見て同一直線上に配置されるように位置調整し両貫通部に柱状部を貫通して、家具を壁面に固定する家具転倒防止金具を開示している。
【０００４】
既存の建物の室内の壁材に使用されている従来の石膏ボードは軟質で、箪笥や書棚等
の家具やオフィス用スチール家具が地震の際、転倒する事を未然に防止する家具転倒防止金具の装着には適用されておらず、上述の如くの火災の際の耐火性、耐湿性を重視することを目的としたものである。
【０００５】
しかし、石膏ボードの家具転倒防止金具を装着する際、該石膏ボードの軟質を知らず
に地震の際に家具の転倒を防止する上で、家具転倒防止金具を安易にアンカーボルトや木螺子で止めている者もあり地震の際には人命にも係る大きな問題点である。
【先行技術文献】
【特許文献】
【０００６】
【特許文献１】特開２００７‐０６３９２９号公報
【特許文献２】特開２０１０‐１８５２５４号公報
【特許文献３】特開２００７‐１９５９１５号公報
【発明の概要】
【発明が解決しようとする課題】
【０００７】
本発明は、室内壁材である石膏ボードの面内に、炭素繊維と、エポキシ樹脂で硬質に
固化し、該石膏ボードと箪笥や書棚等の家具を固定させ、地震の際、転倒する事を未然に防止する補強工法を提供しようとなされたものである。目的としたものである。
【０００８】
上記課題を解決するために、本発明は、下記の補強工法を提供する。
【０００９】
（１）既存の室内壁材の石膏ボードの内面に炭素繊維と、該炭素繊維を固化するために使用されるエポキシ樹脂を容易に挿入し軟質の該石膏ボードの内面の家具転倒防止金具の部位に位置する部分を補強し強度を持たせ、地震の際に揺れ転倒する危険性のある該家具の転倒を防止することができるようにした機能を備えさせたことを特徴とする補強工法（請求項１）。
【００１０】
（２）該石膏ボードの面内を上記の如く補強するに当たり挿入口に、樹脂で成型したエポキシ樹脂を注入するパイプ状であり、更には、先端が挿入の際には、挿入方向に倣い容易に挿入され、挿入後には、該挿入用ノズルの先端が放射状に３方に開き逆止し、該石膏ボード面内にエポキシ樹脂を注入し該挿入用ノズル先端の３方放射状に開いた部位を回転させ、必要に応じた面積にエポキシ樹脂を塗布、エポキシ樹脂の塗布面に炭素繊維を張る事が容易にできる事を特徴とする（請求項２）。
【発明の効果】
【００１１】
[請求項１の発明]
既存の室内壁材である石膏ボードの内面に炭素繊維と、該炭素繊維を固化するために使用されるエポキシ樹脂を挿入用ノズルにより容易に挿入し軟質の該石膏ボードの内面の家具転倒防止金具の部位に位置する部分を補強し、地震の際に揺れ、転倒する危険性のある家具の転倒を防止することができるようにした機能を備えさせたことを特徴とする補強工法である。
【００１２】
地震時の縦横揺れの際に挿入口が、アンカーボルトにより破損されないようにハトメを挿入口に埋設する。
【００１３】
[請求項２の発明]
該石膏ボードの面内を上記の如く補強するに当たり挿入口に、樹脂で成型したエポキシ樹脂を注入するパイプ状であり、更には、先端が挿入の際には、挿入方向に倣い容易に挿入され、挿入後には、該挿入用ノズルの先端が放射状に３方に開き逆止し、該石膏ボード面内にエポキシ樹脂を注入し該挿入用ノズル先端の３方放射状に開いた部位を回転させ、必要に応じた面積にエポキシ樹脂の塗布と、エポキシ樹脂面に炭素繊維を張る事が容易にできる。
【図面の簡単な説明】
【００１４】
【図１】図１は、本発明の石膏ボード外内面の補強完成断面図である。
【図２】図２は、本発明による石膏ボード内部にエポキシ樹脂、炭素繊維を挿入塗布          するための挿入用ノズルを挿入する断面図である。
【図３】図３は、石膏ボード面内に挿入用ノズルを挿入し挿入用ノズル先端が逆止３          方向に開き回転させエポキシ樹脂を塗布する断面図である。
【発明を実施するための形態】
【００１５】
既存の室内壁材の石膏ボード外面１に、挿入口３をドリルなどの切削機により開設し、挿入用ノズル７に予め炭素繊維４を差し込でおき、エポキシ樹脂a５と、エポキシ樹脂b６の２本を挿入用ノズル７の注入口に装着する。
【００１６】
家具１２の天板左右両隅に、家具転倒防止金具８を木螺子１０により、家具１２の天板と家具転倒防止金具８を固定する。
【００１７】
石膏ボード面内２の挿入口３に、挿入用ノズル７を差し込み、エポキシ樹脂a５とエポキシ樹脂b６を同時に注入し混合させ挿入用ノズル７の先端の逆止３方を回転させ塗布し上記の如く予め挿入用ノズル７に差し込んでおいた炭素繊維４をピンセットで挿入口から石膏ボード面内２に挿入させ挿入用ノズル７の該先端により上述同様回転させながらエポキシ樹脂a５とエポキシ樹脂b６が混合された面に着装させ炭素繊維４に浸透させる。
【００１８】
該挿入口３に、ハトメ９を埋設させ、エポキシ樹脂a５と、エポキシ樹脂b６が混合し化学反応で固化した状態において、家具転倒防止金具８から、アンカーボルト１１を挿入口３に挿入し、アンカーボルト１１をねじ込み、家具１２と家具転倒防止金具８と木螺子で固定し、アンカーボルト１１で、家具転倒防止金具８とを固定させる。
【符号の説明】
【００１９】
１  石膏ボード外面
２  石膏ボード面内
３  挿入口
４  炭素繊維
５  エポキシ樹脂ａ
６  エポキシ樹脂ｂ
７  挿入用ノズル
８  家具転倒防止金具
９  ハトメ
１０木螺子
１１アンカーボルト
１２家具
１３エポキシ樹脂ａ、エポキシ樹脂ｂの混合
【図１】
2015169046.tif 000003
【図２】
2015169046.tif 000004
【図３】
2015169046.tif 000005